(57)【要約】【課題】圧力水が各導水路に流入する際の荷重を低減することにある。【解決手段】圧力水供給装置は、弁本体と該弁本体に回転可能に配置された弁体とを備える２以上の切替弁であって各弁本体が水入口と複数の水出口とを有しかつ各弁体が１以上の導水路を有すると共に一体的に回転可能に結合された２以上の切替弁と、　両切替弁の前記弁体を少なくとも第１及び第２の回転位置に選択的に回転させて各回転位置において各水入口を前記導水路を介して前記水出口に連通させる駆動装置とを含む。各弁体の前記導水路は少なくとも第１及び第２の回転位置でそれぞれ前記水入口に対向する対向面を有しており、両弁体の前記対向面同士が互いに前記第１及び第２の回転位置のいずれにおいても両弁体の回転中心の周りに１２０°よりも大きくずれるように、各弁体の水入口が形成されていると共に、両弁体の回転範囲が設定されている。【選択図】　　　　　図３
2004027395.tif 000002
【特許請求の範囲】
【請求項１】
弁本体と該弁本体に回転可能に配置された弁体とを備える２以上の切替弁であって各弁本体が水入口と複数の水出口とを有しかつ各弁体が１以上の導水路を有すると共に一体的に回転可能に結合された２以上の切替弁と、両切替弁の前記弁体を少なくとも第１及び第２の回転位置に選択的に回転させて各回転位置において各水入口を前記導水路を介して前記水出口に連通させる駆動装置とを含み、
各弁体の前記導水路は少なくとも第１及び第２の回転位置でそれぞれ前記水入口に対向する対向面を有しており、
両弁体の前記対向面同士が互いに前記第１及び第２の回転位置のいずれにおいても両弁体の回転中心の周りに１２０°よりも大きくずれるように、各弁体の水入口が形成されていると共に、両弁体の回転範囲が設定されている、水噴射式織機の圧力水供給装置。
【請求項２】
各弁体の前記対向面は、共に前記第１及び第２の回転位置のいずれにおいても前記水入口に対向される共通の対向面域を含む、請求項１に記載の圧力水供給装置。
【請求項３】
各弁体の前記導水路は、共に孔により形成され、前記対向面は、前記第１の回転位置において前記水入口に対向される第１の対向面域と、前記第２の回転位置において前記水入口に対向される第２の対向面域とを含み、両対向面域は互いに対向する、請求項１に記載の圧力水供給装置。
【請求項４】
両弁本体の水入口は、前記回転中心の周りに１２０°以上相互にずれた箇所に形成されている、請求項１から３のいずれか１項に記載の圧力水供給装置。
【請求項５】
少なくとも一方の弁体の導水路は、前記回転中心と平行な面と、前記回転中心の軸線方向に互いに離間していると共に前記回転中心と交差する２つの面とを含む溝を有し、
前記平行な面は、弁体の１つの回転位置において、水入口から前記回転中心を通る直線と略直交する、請求項２及び４に記載の圧力水供給装置。
【請求項６】
前記溝は前記水入口から前記水出口に向かって延在していると共に弁体の外周面に開放している、請求項５に記載の圧力水供給装置。
【発明の詳細な説明】
【０００１】
【発明の属する技術分野】
本発明は、水噴射織機において圧力水の供給に用いられる圧力水供給装置に関する。
【０００２】
【従来の技術】
複数の緯入れノズルを用いる多色水噴射式織機に緯入れ用の圧力水を供給する装置の１つとして、それぞれが異なる圧力水供給源から圧力水の供給を受ける複数の切替弁を一体的に結合させ、それら複数の切替弁を共通の駆動装置により同期して駆動させて、いずれかの圧力供給源からの圧力水をいずれか１つの緯入れノズルに供給するるものがある（実開昭６３−１９８５８５号公報）。
【０００３】
各切替弁は、対応する圧力水供給源に連通される水入口と、緯入れノズルのような端末出水口に連通される複数の水出口とを弁本体に備えていると共に、水入口と１つの水出口とを選択的に連通させる導水路を弁本体に挿通される弁体に備えている。各切替弁の１つの水出口は対応する緯入れノズルに連通される。
【０００４】
この従来技術において、複数の切替弁は、弁体が供給の回転中心（すなわち、回転軸線）を有するように相互に連結されている。このため、弁体が共通の駆動装置により同時に駆動され、いずれかの圧力水供給源からの圧力水は、対応する切替弁を介して、対応する緯入れノズルに供給される。
【０００５】
【解決しようとする課題】
上記従来技術において、複数の切替弁の水入口は両弁体の回転中心の周りの略同じ角度的回転位置に形成されており、圧力水は同じ方向から対応する切替弁の導水路に流入される。また、各導水路がｙ字状の形状を有しているから、いずれの回転位置においても、水入口に対向する対向面が一方の導水路に形成され、他方の導水路にはそのような対向面が形成されない。
【０００６】
このため、上記の従来技術では、対向面が導水路に流入する圧力水により押圧されて、対向面を有する弁体に衝撃荷重が加わり、それによって弁体を支持するベアリング、シャフト、弁体、弁本体等に、発熱、摩耗、変形等が発生し、切替弁を早期に交換する必要が生じる。
【０００７】
本発明の目的は、独立した導水路を有する複数の切替弁の弁体を一体的に回転可能に結合した圧力水供給装置において、圧力水が各導水路に流入する際の弁体に加える荷重を低減することにある。
【０００８】
【解決手段、作用、効果】
本発明に係る圧力水供給装置は、弁本体と該弁本体に回転可能に配置された弁体とを備える２以上の切替弁であって各弁本体が水入口と複数の水出口とを有しかつ各弁体が１以上の導水路を有すると共に一体的に回転可能に結合された２以上の切替弁と、両切替弁の前記弁体を少なくとも第１及び第２の回転位置に選択的に同期して回転させて各回転位置において各水入口を前記導水路を介して前記水出口に連通させる駆動装置とを含む。各弁体の前記導水路は少なくとも第１及び第２の回転位置でそれぞれ前記水入口に対向する対向面を有している。両弁体の前記対向面同士が互いに前記第１及び第２の回転位置のいずれにおいても両弁体の回転中心の周りに１２０°よりも大きくずれるように、各弁体の水入口が形成されていると共に、両弁体の回転範囲が設定されている。
【０００９】
各水入口は、圧力水供給源に接続されて、緯入れのたびに圧力水の供給を受ける。各水入口から対応する切替弁の導水路に流入される圧力水は、水入口に対向する対向面に衝突し、対向面には垂直方向の力と対向面に沿う方向の力が作用し、垂直方向の力が対向面を押圧し、対応する弁体を弁本体に押圧する。
【００１０】
しかし、両導水路の対向面同士が互いに弁体の回転中心の周りに１２０°よりも大きな角度を有する状態にずらされているから、両対向面に作用する押圧力の方向が１２０°よりも大きな角度で異なって作用する。このため、２つの押圧力の合力は、少なくとも両押圧力のうち、大きい方の押圧力よりも小さくなる。
【００１１】
上記の結果、一方の押圧力により弁体に作用する過大な荷重が他方の押圧力により減殺される。また、両対向面の位置関係が第１及び第２の回転位置のいずれにおいても維持されるから、過大な荷重は第１及び第２の回転位置のいずれにおいても低減される。
【００１２】
各弁体の前記対向面は、各弁体の前記対向面は、共に前記第１及び第２の回転位置のいずれにおいても前記水入口に対向される共通の対向面域を含むことができる。これの代わりに、各弁体の前記導水路は、共に孔により形成され、前記対向面は、前記第１の回転位置において前記水入口に対向される第１の対向面域と、前記第２の回転位置において前記水入口に対向される第２の対向面域とを含み、両対向面域は互いに対向するようにしてもよい。
【００１３】
両弁本体の水入口は、前記回転中心の周りに１２０°以上相互にずれた箇所に形成されていてもよい、そのようにすれば、両弁体を押す２つの圧力水の力がより異なり、弁体に加わる荷重がより低減される。
【００１４】
少なくとも一方の弁体の導水路は、前記回転中心と平行な面と、前記回転中心の方向に互いに離間していると共に前記回転中心と交差する２つの面とを含む溝を有し、前記平行な面は、弁体の１つの回転位置において、水入口から前記回転中心を通る直線と略直交していてもよい。そのようにすれば、水入口からの圧力水は、回転中心に平行な対向面に衝突して弁体を押圧するが、その圧力水は対向面に対し略直角に衝突するので、押圧力のベクトルと回転中心との距離が小さくなり、回転力は弁体にほとんど作用しない。その結果、弁体の導水路と弁本体の水入口及び水出口との接続箇所にずれが発生せず、緯入れノズルからの圧力水の噴射が損なわれない。また、圧力水による弁体の回転に起因する弁体の摩耗や発熱が抑えられる。さらに弁体に溝が設けられているので、弁体の剛性が低くなるが、圧力水による衝撃荷重が低減されるから、弁体の剛性が低くても、弁体の変形が抑えられ、圧力水の切換が精度よくかつ円滑に行われる。
【００１５】
前記溝は前記水入口からと前記水出口に向かって延在していると共に弁体の外周面に開放していてもよい。そのようにすれば、圧力水は対向面に衝突後、その対向面にそって弁本体に達するから、その途中で弁体の壁に衝突して屈曲するおそれがなく、その結果圧力水の衝突や屈曲による圧力損失や、壁の押圧による荷重及び回転力を弁体に作用させない。
【００１６】
【発明の実施の形態】
図１〜図３を参照するに、圧力水供給装置１０は、緯入れ可能の緯糸に個々に対応された第１及び第２の緯入ノズル（図示せず）を用いる多色緯入れの水噴射式織機に用いられている。
【００１７】
圧力水供給装置１０は、一体的に結合された第１及び第２の切替弁１２及び１４を用いて、切替弁に個々に対応された給水ポンプのような第１及び第２の圧力水供給源１６及び１８からの圧力水を第１及び第２の緯入ノズルのいずれか１つに選択的に供給する装置を構成している。
【００１８】
切替弁１２及び１４は、それぞれ、弁本体２０及び２２と、対応する弁本体内に角度的に回転可能に配置された弁体２４及び２６と、弁本体２０及び２２を収納しているケース２８及び３０とを備えている。
【００１９】
弁体２４及び２６は、一体的に回転可能に結合されており、またロータリーソレノイドのような電気式アクチュエータ３２の駆動軸３４にカップリング３６により連結されて、織機と同期して所定のタイミングで同時に回転駆動される。
【００２０】
弁体２４及び２６は、図示の例では共通の部材により一体に製作されている。しかし、弁体２４及び２６を別部材で製作し、それらをカップリングにより結合してもよい。弁本体２０及び２２も、共通の部材により一体的の製作してもよいし、別部材で製作してもよい。図示の例では、ケース２８及び３０も共通の部材により一体的に形成されている。
【００２１】
切替弁１２及び１４の弁本体２０及び２２並びにケース２８及び３０は、それぞれ、圧力水のための１つの水入口３８及び４０と、第１、第２及び第３、第４の各２つの水出口４２，４４及び４６，４８とを有している。
【００２２】
切替弁１２及び１４の弁体２４及び２６は、それぞれ、圧力水を対応する弁本体の水出口の１つに選択的に導く導水路５０及び５２を有している。
【００２３】
水入口３８及び４０は、それぞれ、パイプ５４及び５６を介して第１及び第２の圧力水供給源１６及び１８に連通されている。第１及び第３の水出口４２及び４６は、それぞれ、パイプ５８及び６０を介して第１及び第２の緯入れノズルに連通されている。第２及び第４の水出口４４及び４８は、それぞれ、パイプ６２及び６４を介して第１及び第２の排出口（図示せず）に連通されている。
【００２４】
パイプ５４，５６，５８，６０，６２，６４の各々は、留め具と止めねじとにより対応するケース２８又は３０に連結されている。圧力水供給源１６及び１８は、それぞれ、織機と同期して所定のタイミングで駆動されて回収タンク（図示せず）内の水を吸引し、パイプ５４及び５６を介してそれぞれの水入口３８，４０に連通されている。
【００２５】
図示の実施例において、第１及び第２の緯入れノズル並びに第１及び第２の排水口は、いずれも、圧力水を噴射及び排出する端末出水口として作用する。
【００２６】
弁体２０及び２２は、それぞれ、水入口３８及び４０を導水路５０及び５２により、図３（Ａ１）及び（Ｂ２）に示すように水出口４２及び４６に連通させる選択停止位置と、図３（Ａ２）及び（Ｂ１）に示すように水出口４４及び４８に連通させる非選択停止位置とに、電動アクチュエータ３０により角度的に回転される。
【００２７】
選択停止位置は、その切替弁及び対応する緯入れノズルが選択されたことにより、供給された圧力水を対応する緯入れノズルに供給するための位置である。これに対し、非選択停止位置は、その切替弁及び対応する緯入れノズルが選択されなかったことにより、供給された圧力水を対応する排出口に排出するための位置である。
【００２８】
両切替弁１２，１４において、一方の切替弁は、対応する緯入れノズルが選択されると、その緯入れノズルに圧力水を供給するように駆動され、そのとき他方の切替弁は、対応する緯入れノズルと共に非選択となるから、圧力水を回収タンク（図示せず）に排出するように駆動される、という手法で弁体２０及び２２がアクチュエータ３０により一体に駆動される。
【００２９】
弁体２４，２６は一体に駆動されるから、弁体２４が図３（Ａ１）に示す選択停止位置に移動されているとき、弁体２６は図３（Ｂ１）に示す非選択停止位置に移動されており、弁体２６が図３（Ｂ２）に示す選択停止位置に移動されているとき、弁体２４は図３（Ａ２）に示す非選択停止位置に移動されている。
【００３０】
導水路５０及び５２の各々は、図３に示すように、対応する弁体２４又は２６の軸線、すなわち回転中心６６と平行な面６８（軸線と平行な面とは、面上に軸線を有する面も含み、実施例では面６８に軸線が在る。）と、回転中心６６の方向に互いに離間していると共に回転中心６６と交差する２つの面７０，７０（一方は、図示せず）とにより、形成されている。
【００３１】
導水路５０及び５２の各々は、図示の例では、円形断面の弁体の直径方向（弦方向）へ伸びて対応する弁本体の内周面に開放するＵ字状又はコ字状の流路溝の形に形成されている。それゆえに、面６８は流路溝の底面として作用し、面７０，７０は流路溝の側面として作用する。
【００３２】
面６８は、図示の例では、対応する水入口から流入する圧力水が衝突する第１及び第２の水衝突面６８ａ，６８ｂと、第１及び第２の水衝突面６８ａ及び６８ｂにそれぞれ続きかつ対応する水出口に連通される連通面６８ｃ，６８ｄとを含んでいる。図示の例では、水衝突面６８ａ，６８ｂは、互いに直交している。
【００３３】
面７０，７０は、図示の例では、回転中心６６に垂直な面であり、したがって図３において紙面と平行に位置されている。しかし、面７０，７０は、回転中心６６と交差する面である限り、回転中心６６と直交しなくてもよい。
【００３４】
図示の例では、各第１の水衝突面６８ａは、一方の弁体２４（又は、２６）が選択停止位置に回転されていても、非選択停止位置に回転されていても、対応する流路溝を介して対応する水入口３８（又は、４０）に対向し、したがって対向面として作用する。
【００３５】
両弁体２４，２６の対向面であるそれぞれの第１の水衝突面６８ａが、選択停止位置及び非選択停止位置のいずれにおいても両弁体２４，２６の回転中心６６の周りに１２０°よりも大きくずれるように、両弁体２４，２６の水衝突面６８ａ及び水入口３８，４０が形成されていると共に、両弁体２４，２６の回転角度範囲が設定されている。
【００３６】
図示の例では、回転中心６６の周りにおける、両水衝突面６８ａの角度的ずれ量は１４０°とされており、水入口３８，４０の角度的ずれ量は１８０°とされている。
【００３７】
第１の緯入れノズルのための選択停止位置は、弁体２４の水衝突面６８ａが水入口３８から回転中心６６を通る直線に直交すると共に、弁体２６の水衝突面６８ａが水入口４０から回転中心６６を通る直線に対し４０°で交差する位置とされている。
【００３８】
第２の緯入れノズルのための選択停止位置は、弁体２６の水衝突面６８ａが水入口４０から回転中心６６を通る直線に直交すると共に、弁体２４の水衝突面６８ａが水入口３８から回転中心６６を通る直線に対し４０°で交差する位置とされている。
【００３９】
回転中心６６の周りにおける、水入口３８及び４０と緯入れノズルに連通される水出口４２及び４６との角度的ずれ量は、いずれも、９０°とされている。従って、導水路５０及び５２における圧力水の緯入れノズル選択時の屈曲の度合いは、第１と第２の緯入れノズルで略同じとされている。
【００４０】
圧力水供給装置１０は、さらに、切替弁１２，１４の弁体２４，２６を上記のような回転位置に規制すべく弁体２４，２６と共に角度的に回転されるストッパ７２と、ストッパ７２の角度的回転範囲を規制する一対の位置調整板７４，７４（一方は図示せず）とを含む。ストッパ７２はカップリング３４に取り付けられている。位置調整板７４，７４は、ストッパ７２の角度的回転可能範囲を調整可能にケース２８に取り付けられている。
【００４１】
織機の稼働中は、圧力水供給源１６及び１８から所定の値に加圧された圧力水が、それぞれ、対応する切替弁１２，１４に供給されている。切替弁１２及び１４の水入口３８及び４０の軸線は、弁体２４及び２６の回転中心６６を通る。このため、水入口３８又は４０から導水路５０又は５２に流入する水は、対応する弁体２４又は２６の回転中心６６に向けて進む。
【００４２】
圧力水供給装置１０において、第１の緯入れノズルが選択されると、切替弁１２が選択状態におかれ、第２の緯入れノズルと切替弁１４とが非選択状態におかれる。
【００４３】
この状態においては、切替弁１２の弁体２４が図３（Ａ１）に示す選択停止位置に変位されるのに伴って、切替弁１４の弁体２６が図３（Ｂ１）示すように非選択停止位置に変位されている。これにより、圧力水供給源１６からの圧力水は切替弁１２により第１の緯入れノズルに供給されるが、圧力水供給源１８からの圧力水は切替弁１４により排水口から回収タンクに排出される。
【００４４】
これに対し、第２の緯入れノズルが選択状態におかれると、切替弁１４の弁体２６は図３（Ｂ２）に示す選択停止位置に変位されるのに伴って、切替弁１２の弁体２４は図３（Ａ２）示すように非選択停止位置に変位される。これにより、圧力水供給源１８からの圧力水は切替弁１４により第２の緯入れノズルに供給されるが、圧力水供給源１６からの圧力水は切替弁１２により排出口を介して回収タンクに排出される。
【００４５】
図３（Ａ１）及び（Ｂ１）又は（Ａ２）及び（Ｂ２）に示すように導水路５０及び５２に流入した圧力水は、回転中心６６と平行な水衝突面に衝突して押圧し、弁体２４及び２６を弁本体２０及び２２に押圧する。
【００４６】
しかし、両導水路５０及び５２の両水衝突面対向面６８ａが回転中心６６の周りに１４０°の角度的範囲でずらされているから、両水衝突面６８ａに作用する押圧力の方向が１４０°の１２０゜よりも大きな角度で異なる。このため、２つの押圧力の合力は少なくとも大きい方の押圧力よりも小さい値に低減される。
【００４７】
図示の例では、図３に示すように、それぞれの弁体の水衝突面６８ａは、選択停止位置では、水入口３８（又は、４０）から回転中心を通る直線と直角に交差し、非選択停止位置では、水入口３８（又は、４０）から回転中心を通る直線と４０゜交差する。
【００４８】
このため、選択停止位置に維持される切替弁１２（又は、１４）の水衝突面６８ａに作用する押圧力は、非選択停止位置に維持される切替弁１４（又は、１２）の水衝突面６８ａに作用する押圧力よりも大きい。しかし、上記のように２つの押圧力の合力は大きいほうの押圧力よりも小さい値に低減される。
【００４９】
上記の結果、一方の押圧力により弁体２４（又は、２６）に作用する過大な荷重が他方の押圧力により弁体２６（又は、２４）に作用する荷重によって減殺される。また、両対向面である両水衝突面６８ａの位置関係が選択停止位置及び非選択停止位置のいずれにおいても維持され、１２０゜よりも大きなずれが維持されるから、両弁体２４，２６に合わせて作用する荷重は両停止位置のいずれにおいても一方の過大な荷重よりも低減される。
【００５０】
具体的には、上記の圧力水供給装置１０においては、選択停止位置に維持された弁体２４（又は、２６）の水衝突面６８ａが対応する水入口３８（又は、４０）に垂直に対向するから、対応する導水路５０（又は、５２）に流入した圧力水は、その水衝突面６８ａに垂直に衝突する。このため、先ず、水衝突面６８ａに垂直の力が弁体２４（又は、２６）に作用する。
【００５１】
衝突後、圧力水は、水衝突面６８ａに沿って水出口４２（又は、４６）側に進む流れと、水衝突面６８ｂ側に進んでその水衝突面６８ｂに衝突する流れに分かれる。このため、次いで、水衝突面６８ｂに垂直の力が弁体２４（又は、２６）に作用する。
【００５２】
それゆえに、選択停止位置に維持された弁体２４（又は、２６）に作用する力は、水衝突面６８ａに直角の力と水衝突面６８ｂに直角の力との合力になるが、水衝突面６８ａに直角の力が水衝突面６８ｂに直角の力より大きいから、ほぼ水入口３８（又は、４０）から回転中心６６に向かう方向の力となる。
【００５３】
これに対し、非選択停止位置に維持された弁体２６（又は、２４）の導水路５２（又は、５０）に流入した圧力水は、その水衝突面６８ａに４０゜の角度で衝突する。このため、弁体２４（又は、２６）に作用する力よりも弱い、水衝突面６８ａに垂直の力が弁体２６（又は、２４）に作用する。
【００５４】
弁体２４、２６に作用する２つの力は、方向が１４０゜異なり、１２０゜よりも大きく異なるので、２つの力の合力は、一方の大きい方の力よりも小さくなる。
【００５５】
図４を参照するに、第１及び第２の切替弁８０及び８２は、それぞれ、弁本体８４及び８６と、弁本体８４及び８６に角度的に回転可能に配置された弁体８８及び９０とを備えている。弁本体８４及び８６は、既に述べた切替弁１２及び１４と同様に、１つの水入口３８及び４０と、２つの水出口４２，４４及び４６，４８とを有している。それら水入口及び水出口は既に述べた切替弁１２及び１４のそれらと同様に作用する。
【００５６】
弁体８８及び９０は、それぞれ、水入口３８及び４０を導水路９２及び９４により、緯入れノズルに連通させる水出口４２及び４６に連通させる選択停止位置と、排出口に連通される水出口４４及び４８に連通させる非選択停止位置とに選択的に回転される。
【００５７】
導水路９２及び９４の各々は、既に述べた切換弁１２及び１４の導水路５０及び５２と同様に、回転中心６６に平行な水衝突面９６と、回転中心６６の方向に間隔をおいて回転中心６６と垂直に交差する２つの面９８，９８とにより、形成されている。
【００５８】
導水路５０及び５２の各々は、図示の例では、円形断面の弁体の直径方向（弦方向）へ伸びて対応する弁本体の内周面に開放するＵ字状又はコ字状の流路溝の形に形成されている。それゆえに、面９６は流路溝の底面として作用し、面９８，９８は流路溝の側面として作用する。
【００５９】
各面９６は、図示の例では、対応する水入口から流入する圧力水が衝突する水衝突面９６ａと、水衝突面９６ａに続きかつ対応する水出口４２（又は４６）に連通される連通面６８ｂとを含んでおり、両面９６ａ，９６ｂによりへ字状の断面形状を有する溝底面を形成している。
【００６０】
図示の例では、水衝突面９６ａは、対応する弁体８８（又は、９０）が選択停止位置及び非選択停止位置のいずれに回転されても、水入口３８（又は、４０）と対向する対向面として作用する。
【００６１】
切替弁８０及び８２は、回転中心６６の周りにおける、各水入口の両対向面である両水衝突面９６ａの角度的ずれ量は１８０°とされており、水入口３８，４０の角度的ずれ量は１４０°とされていること、及び、面９６が上記のように面９６ａ，９６ｂを有することを除いて、切替弁１２及び１４と同様に構成されている。
【００６２】
しかし、切替弁８０及び８２においては、両対向面９６ａの角度的ずれ量が１８０°とされているから、切替弁１２及び１４と同様に、弁体８８及び９０がいずれの停止位置に回転されていても、導水路９２及び９４に流入する圧力水により弁体８８及び９０に作用する押圧力は、逆向きになって相互に減殺されることにより、少なくとも大きい方の押圧力よりも小さい値に低減される。
【００６３】
また、導水路９２及び９４は、いずれも、対応する弁体８８及び９０が選択停止位置に回転されていると、水衝突面９６ａが対応する水入口３８及び４０から回転中心６６を通る直線と直交する。このため、切替弁８０及び８２においても、切替弁１２及び１４と同様に、導水路９２及び９４に流入する圧力水は、対応する弁体８８及び９０を弁本体８４及び８６に押圧して、対応する弁体８８及び９０を選択停止位置に積極的に維持する。
【００６４】
上記いずれの実施例においても、両水衝突面６８ａ，９６ａが両停止位置のいずれにおいても対応する水入口３８，４０に対向される共通の対向面域とされている。
【００６５】
導水路として、上記のように流路溝とする代わりに、複数の水路穴としてもよい。
【００６６】
図５を参照するに、第１及び第２の切替弁１００及び１０２は、それぞれ、弁本体１０４及び１０６と、弁本体１０４及び１０６に角度的に回転可能に配置された弁体１０８および１１０とを備えている。弁本体１０４及び１０６は、既に述べた切替弁１２及び１４と同様に、１つの水入口３８及び４０と、２つの水出口４２，４４及び４６，４８とを有している。それら水入口及び水出口は既に述べた切替弁１２及び１４のそれらと同様に作用する。
【００６７】
弁体１０８及び１１０は、それぞれ、水入口３８及び４０を導水路１１２及び１１４により、緯入れノズルに連通させる水出口４２及び４６に連通させる選択停止位置と、排出口に連通される水出口４４及び４８に連通させる非選択停止位置とに選択的に回転される。
【００６８】
導水路１１２及び１１４の各々は、対応する弁体１０８及び１１０の外周面から回転中心６６に向けて伸びて回転中心を含む領域で相互に連通された３つの水路穴をＹ字状に連通させることにより、形成されている。
【００６９】
導水路１１２及び１１４の各々は、対応する弁体１０８及び１１０が選択停止位置に回転されているとき、対応する水入口３８及び４０に対向される第１の対向面域１１６ａと、対応する弁体１０８及び１１０が非選択停止位置に回転されているとき、対応する水入口３８及び４０に対向される第２の対向面域１１６ｂとを含んでいる。
【００７０】
切替弁１００及び１０２は、切替弁８０，８２と同様に構成され、回転中心６６の周りにおける、切替弁１００に対応する緯入れノズル選択時のそれぞれの対向面域１１６ａ，１１６ｂの角度的ずれ量、及び、切替弁１０２に対応する緯入れノズル選択時のそれぞれの対向面域１１６ｂ，１１６ａの角度的ずれ量が１８０°とされている。
【００７１】
従って切替弁１００及び１０２においては、切替弁８０及び８２と同様に、弁体１０８及び１１０がいずれの停止位置に回転されていても、導水路１１２及び１１４に流入する圧力水により弁体１０８及び１１０に作用する押圧力は、逆向きになって相互に減殺されることにより、少なくとも大きい方の押圧力よりも小さい値に低減される。
【００７２】
上記いずれの実施例においても、切替弁の所定の回転位置、特に、選択回転位置又は非選択回転位置は、１つのみであってもよいし、２又はそれ以上であってもよい。また、弁体の駆動手段として、専用のアクチュエータを用いる代わりに、織機の主軸の回転力を変換して伝達するカムやリンク等の運動変換機構を用いてもよい。
【００７３】
本発明は、上記実施例に限定されず、その趣旨を逸脱しない限り、種々変更することができる。
【図面の簡単な説明】
【図１】本発明に係る圧力水供給装置の一実施例を示す図である。
【図２】（Ａ）は図１における２Ａ−２Ａ線に沿って得た断面図であり、（Ｂ）は図１における２Ｂ−２Ｂ線に沿って得た断面図である。
【図３】本発明出用いる切替弁の第１の実施例を示す断面図であって、（Ａ１）及び（Ｂ１）は弁体が選択停止位置に回転された状態を示し、（Ａ２）及び（Ｂ２）は弁体が非選択停止位置に回転された状態を示す。
【図４】本発明に係る切替弁の第２の実施例を示す断面図であって、（Ａ１）及び（Ｂ１）は弁体が選択停止位置に回転された状態を示し、（Ａ２）及び（Ｂ２）は弁体が非選択停止位置に回転された状態を示す。
【図５】本発明に係る切替弁の第３の実施例を示す断面図であって、（Ａ１）及び（Ｂ１）は弁体が選択停止位置に回転された状態を示し、（Ａ２）及び（Ｂ２）は弁体が非選択停止位置に回転された状態を示す。
【符号の説明】
１０　圧力水供給装置
１２，１４，８０，８２，１００，１０２　切替弁
１６，１８　圧力水供給源
２０，２２，８４，８６，１０４，１０６　弁本体
２４，２６，８４，１０８，１１０　弁体
３２　アクチュエータ
３８，４０　水入口
４２，４４，４６，４８　水出口
５０，５２，９２，９４，１１２，１１４　導水路
６６　弁体の回転中心
６８ａ，９６ａ　水衝突面
１１６ａ，１１６ｂ　対向面域
【図１】
2004027395.tif 000003
【図２】
2004027395.tif 000004
【図３】
2004027395.tif 000005
【図４】
2004027395.tif 000006
【図５】
2004027395.tif 000007